(57)【特許請求の範囲】
【請求項１】
光源バルブが挿入される開口が形成されたリフレクタと、
前記開口に挿入され、水平面よりも所定角度下向きに傾斜した灯具光軸に長手方向を一致させた状態で前記リフレクタに装着される光源バルブと、
を備えた車両用灯具において、
前記リフレクタは、前記光源バルブの長手方向に対して左右両側それぞれに、少なくとも前記光源バルブ側方から後方にかけての範囲を覆うように配置された左右一対の反射面を備えており、
前記左右一対の反射面それぞれは、前記光源バルブから、少なくとも該光源バルブ側方から後方にかけての範囲に照射される照射光を反射し、所定配光パターンを形成する楕円系反射面であって、鉛直線に対して所定角度前方に傾斜した上下方向に延びる焦線が設定されており、
前記楕円系反射面としての前記左右一対の反射面それぞれは、水平面に対して所定角度下向きに傾斜した傾斜平面及び該傾斜平面に平行な平面による切断面に現れる複数の楕円円弧状の反射面、及び、前記傾斜平面による切断面に現れる楕円円弧状の反射面で反射される前記光源バルブからの仮想光線を含む鉛直面による切断面に現れる複数の放物線状の反射面によって構成されており、
前記複数の楕円円弧状の反射面それぞれは、第１焦点が前記光源バルブ近傍に設定され、かつ、第２焦点が前記焦線上に設定されており、
前記複数の放物線状の反射面それぞれは、焦点が前記光源バルブ近傍に設定され、かつ、水平面よりも所定角度下向きに傾斜した光軸が設定されていることを特徴とする車両用灯具。
【請求項２】
光源バルブが挿入される開口が形成された第１リフレクタと、
前記開口に挿入され、水平面よりも所定角度下向きに傾斜した灯具光軸に長手方向を一致させた状態で前記第１リフレクタに装着される光源バルブと、
四つの楕円系反射面を有し、前記光源バルブの前方に該光源バルブの前方を覆うように配置された第２リフレクタと、
前記光源バルブの長手方向に対して両側に配置された四つの放物系反射面とを備え、
前記四つの楕円系反射面それぞれは、前記光源バルブから該光源バルブ前方に照射される照射光をその対応する前記放物系反射面に向けて反射する反射面であって、第１焦点が前記光源バルブ近傍に設定され、かつ、第２焦点がその対応する前記放物系反射面との間に設定されており、
前記四つの放物系反射面それぞれは、その対応する前記楕円系反射面からの反射光を反射し、第１配光パターンを形成する反射面であって、焦点がその対応する前記楕円系反射面の第二焦点に設定された車両用灯具において、
前記第１リフレクタは、前記光源バルブの長手方向に対して左右両側それぞれに、少なくとも前記光源バルブ側方から後方にかけての範囲を覆うように配置された左右一対の反射面を備えており、
前記左右一対の反射面それぞれは、前記光源バルブから、少なくとも該光源バルブ側方から後方にかけての範囲に照射される照射光を反射し、前記第１配光パターンに重畳される第２配光パターンを形成する楕円系反射面であって、灯具正面視において前記第１リフレクタと前記第２リフレクタとの間に、鉛直線に対して所定角度前方に傾斜した上下方向に延びる焦線が設定されており、
前記楕円系反射面としての前記左右一対の反射面それぞれは、水平面に対して所定角度下向きに傾斜した傾斜平面及び該傾斜平面に平行な平面による切断面に現れる複数の楕円円弧状の反射面、及び、前記傾斜平面による切断面に現れる楕円円弧状の反射面で反射される前記光源バルブからの仮想光線を含む鉛直面による切断面に現れる複数の放物線状の反射面によって構成されており、
前記複数の楕円円弧状の反射面それぞれは、第１焦点が前記光源バルブ近傍に設定され、かつ、第２焦点が前記焦線上に設定されており、
前記複数の放物線状の反射面それぞれは、焦点が前記光源バルブ近傍に設定され、かつ、水平面よりも所定角度下向きに傾斜した光軸が設定されていることを特徴とする車両用灯具。
【請求項３】
前記第１リフレクタには、前記四つの楕円系反射面それぞれからその対応する前記放物系反射面に向けて反射される反射光を通過させるための四つの開口が形成されており、
前記四つの開口は、前記四つの楕円系反射面の第１焦点と該四つの楕円系反射面それぞれの第２焦点を結びかつ前記四つの放物系反射面と交わらない四本の直線上それぞれに形成されていることを特徴とする請求項２に記載の車両用灯具。
【請求項４】
前記四つの楕円系反射面それぞれには、前記左右一対の反射面それぞれの上端部又は下端部から漏れる前記光源バルブからの照射光をその対応する前記放物系反射面に向けて反射するための、該上端部又は下端部を塞ぐ突起状の反射面が形成されていることを特徴とする請求項２又は３に記載の車両用灯具。
【請求項５】
前記楕円系反射面としての前記左右一対の反射面のうちの、前記傾斜平面よりも下側の反射面部分は、前記鉛直面による切断面に現れる複数の放物線状の下側反射面によって構成されており、
前記楕円系反射面としての前記左右一対の反射面のうちの、前記傾斜平面よりも上側の反射面部分は、前記鉛直面による切断面に現れる複数の放物線状の上側反射面によって構成されており、
前記複数の放物線状の下側反射面それぞれは、焦点が前記光源バルブの発光源下端前端近傍に設定され、かつ、水平面よりも所定角度下向きに傾斜した光軸が設定されており、
前記複数の放物線状の上側反射面それぞれは、焦点が前記光源バルブの発光源下端後端近傍に設定され、かつ、水平面よりも所定角度下向きに傾斜した光軸が設定されていることを特徴とする請求項１から４のいずれかに記載の車両用灯具。
【発明の詳細な説明】
【技術分野】
【０００１】
本発明は、車両用灯具に係り、特に光源バルブから照射される照射光の利用効率を向上させることが可能な車両用灯具に関する。
【背景技術】
【０００２】
従来、車両用灯具の分野においては、光源バルブから照射される照射光の利用効率を向上させるために、光源バルブを覆うように該光源バルブの後方、前方及び側方に配置された複数の反射面を用いた車両用灯具が提案されている（例えば、特許文献１参照）。
【０００３】
図１１は、特許文献１に記載の車両用灯具を、灯具光軸ＡＸを含む水平面で切断した断面図である。
【０００４】
図１１に示すように、特許文献１に記載の車両用灯具は、光源バルブ（図示せず）が挿入される開口１１´が形成され、光源バルブを覆うように該光源バルブの後方に配置されたリフレクタ１０´（後方反射面１０´）と、光源バルブを覆うように該光源バルブの前方に配置されたリフレクタ２０´（光源バルブの前方右上、右下、左上及び左下それぞれに配置された四つの前方反射面２０ＲＵ´、２０ＲＬ´、２０ＬＵ´、２０ＬＬ´）と、光源バルブの両側（光源バルブの両側左上、左下、右上及び右下）に配置された四つの側方反射面３０ＲＵ´、３０ＲＬ´、３０ＬＵ´、３０ＬＬ´と、を備えている。
【０００５】
この特許文献１に記載の車両用灯具においては、光源バルブからの照射光のうちの、該光源バルブ前方に照射される照射光は、四つの前方反射面２０ＲＵ´、２０ＲＬ´、２０ＬＵ´、２０ＬＬ´及び四つの側方反射面３０ＲＵ´、３０ＲＬ´、３０ＬＵ´、３０ＬＬ´によって反射され、前方に照射されることとなる。
【０００６】
また、この特許文献１に記載の車両用灯具においては、光源バルブからの照射光のうちの、該光源バルブの後方に照射される照射光は、後方反射面１０´によって反射され、リフレクタ２０´（四つの前方反射面２０ＲＵ´、２０ＲＬ´、２０ＬＵ´、２０ＬＬ´）の中央に形成された開口２１´を通過し、前方に照射されることとなる。
【特許文献１】特開２００６−３２４１０１号公報
【発明の開示】
【発明が解決しようとする課題】
【０００７】
しかしながら、特許文献１に記載の車両用灯具においては、リフレクタ２０´（四つの前方反射面２０ＲＵ´、２０ＲＬ´、２０ＬＵ´、２０ＬＬ´）の中央に形成された開口２１´の分、該四つの前方反射面の反射面積が小さくなり、該四つの前方反射面から側方反射面３０ＲＵ´、３０ＲＬ´、３０ＬＵ´、３０ＬＬ´に向かう反射光が少なくなり、光源バルブからの照射光の利用効率が低下するという問題がある。
【０００８】
本発明は、このような事情に鑑みてなされたものであり、光源バルブから照射される照射光の利用効率をさらに向上させることが可能な車両用灯具を提供することを目的とする。
【課題を解決するための手段】
【０００９】
上記課題を解決するために、請求項１に記載の発明は、光源バルブが挿入される開口が形成されたリフレクタと、前記開口に挿入され、水平面よりも所定角度下向きに傾斜した灯具光軸に長手方向を一致させた状態で前記リフレクタに装着される光源バルブと、を備えた車両用灯具において、前記リフレクタは、前記光源バルブの長手方向に対して左右両側それぞれに、少なくとも前記光源バルブ側方から後方にかけての範囲を覆うように配置された左右一対の反射面を備えており、前記左右一対の反射面それぞれは、前記光源バルブから、少なくとも該光源バルブ側方から後方にかけての範囲に照射される照射光を反射し、所定配光パターンを形成する楕円系反射面であって、鉛直線に対して所定角度前方に傾斜した上下方向に延びる焦線が設定されており、前記楕円系反射面としての前記左右一対の反射面それぞれは、水平面に対して所定角度下向きに傾斜した傾斜平面及び該傾斜平面に平行な平面による切断面に現れる複数の楕円円弧状の反射面、及び、前記傾斜平面による切断面に現れる楕円円弧状の反射面で反射される前記光源バルブからの仮想光線を含む鉛直面による切断面に現れる複数の放物線状の反射面によって構成されており、前記複数の楕円円弧状の反射面それぞれは、第１焦点が前記光源バルブ近傍に設定され、かつ、第２焦点が前記焦線上に設定されており、前記複数の放物線状の反射面それぞれは、焦点が前記光源バルブ近傍に設定され、かつ、水平面よりも所定角度下向きに傾斜した光軸が設定されていることを特徴とする。
【００１０】
請求項１に記載の発明によれば、楕円系反射面としての左右一対の反射面は、鉛直線に対して所定角度前方に傾斜した上下方向に延びる焦線を基準に構成されているため、従来の後方反射面とは異なり、鉛直方向上（又は鉛直方向下）に向かうにつれて徐々にすぼみ、少なくとも光源バルブの側方から後方にかけてのほぼ全範囲を覆う形状となる。
【００１１】
このため、請求項１に記載の発明によれば、左右一対の反射面は、光源バルブから、少なくとも該光源バルブの側方から後方にかけての範囲に照射される照射光をほぼ余すことなく反射することが可能となる。
【００１２】
従って、請求項１に記載の発明によれば、光源バルブから照射される照射光の利用効率をさらに向上させることが可能となる。
【００１３】
また、請求項１に記載の発明によれば、楕円系反射面としての左右一対の反射面は、鉛直線に対して所定角度前方に傾斜した上下方向に延びる焦線を基準に構成されているため、光源バルブから、少なくとも該光源バルブの側方から後方にかけての範囲に照射される照射光を傾斜平面に対して平行かつ水平方向に拡散するように反射することとなる。
【００１４】
これにより、請求項１に記載の発明によれば、前方所定位置に配置した垂直スクリーン上には、上端線が水平線とほぼ平行で、かつ、上端線が水平線から所定角度（鉛直線に対する焦線の傾斜角度と同じ角度）下の位置に位置する、全体的に均一な所定配光パターンを形成することが可能となる。
【００１５】
なお、この所定配光パターンが形成される位置は、鉛直線に対する焦線の傾斜角度を調整することで調整可能である。
【００１６】
従来の後方反射面にはその中央に光源バルブが挿入される開口が形成されているので、この後方反射面からの配光パターンには該配光パターンの中央（車両のほぼ前方）に暗部が現れ、ムラが目立つこととなる。
【００１７】
しかし、請求項１に記載の発明によれば、光源バルブが挿入される開口は、従来のように後方反射面の中央ではなく、右反射面と左反射面の間、すなわち、左右一対の反射面それぞれの端部に形成されている。
【００１８】
このため、請求項１に記載の発明によれば、左右一対の反射面からの配光パターンには該配光パターンの端部に暗部が現れ、車両の前方にはムラが現れないこととなる。また、この左右一対の反射面からの配光パターンは重なり合うこととなる。
【００１９】
従って、従来のように後方反射面の中央に光源バルブが挿入される開口を形成した場合と比べて、光源バルブからの照射光の欠落が生じ配光ムラが生ずるのを防止又は低減することが可能となる。
【００２０】
請求項２に記載の発明は、光源バルブが挿入される開口が形成された第１リフレクタと、前記開口に挿入され、水平面よりも所定角度下向きに傾斜した灯具光軸に長手方向を一致させた状態で前記第１リフレクタに装着される光源バルブと、四つの楕円系反射面を有し、前記光源バルブの前方に該光源バルブの前方を覆うように配置された第２リフレクタと、前記光源バルブの長手方向に対して両側に配置された四つの放物系反射面とを備え、前記四つの楕円系反射面それぞれは、前記光源バルブから該光源バルブ前方に照射される照射光をその対応する前記放物系反射面に向けて反射する反射面であって、第１焦点が前記光源バルブ近傍に設定され、かつ、第２焦点がその対応する前記放物系反射面との間に設定されており、前記四つの放物系反射面それぞれは、その対応する前記楕円系反射面からの反射光を反射し、第１配光パターンを形成する反射面であって、焦点がその対応する前記楕円系反射面の第二焦点に設定された車両用灯具において、前記第１リフレクタは、前記光源バルブの長手方向に対して左右両側それぞれに、少なくとも前記光源バルブ側方から後方にかけての範囲を覆うように配置された左右一対の反射面を備えており、前記左右一対の反射面それぞれは、前記光源バルブから、少なくとも該光源バルブ側方から後方にかけての範囲に照射される照射光を反射し、前記第１配光パターンに重畳される第２配光パターンを形成する楕円系反射面であって、灯具正面視において前記第１リフレクタと前記第２リフレクタとの間に、鉛直線に対して所定角度前方に傾斜した上下方向に延びる焦線が設定されており、前記楕円系反射面としての前記左右一対の反射面それぞれは、水平面に対して所定角度下向きに傾斜した傾斜平面及び該傾斜平面に平行な平面による切断面に現れる複数の楕円円弧状の反射面、及び、前記傾斜平面による切断面に現れる楕円円弧状の反射面で反射される前記光源バルブからの仮想光線を含む鉛直面による切断面に現れる複数の放物線状の反射面によって構成されており、前記複数の楕円円弧状の反射面それぞれは、第１焦点が前記光源バルブ近傍に設定され、かつ、第２焦点が前記焦線上に設定されており、前記複数の放物線状の反射面それぞれは、焦点が前記光源バルブ近傍に設定され、かつ、水平面よりも所定角度下向きに傾斜した光軸が設定されていることを特徴とする。
【００２１】
請求項２に記載の発明によれば、鉛直線に対して所定角度前方に傾斜した上下方向に延びる焦線は、灯具正面視において第１リフレクタ（左右一対の反射面）と第２リフレクタ（四つの楕円系反射面）との間に設定されている。
【００２２】
このため、請求項２に記載の発明によれば、左右一対の反射面からの反射光は、第１リフレクタ（左右一対の反射面）と第２リフレクタ（四つの楕円系反射面）との間のスペースを通過し照射されることとなる。
【００２３】
すなわち、請求項２に記載の発明によれば、第２リフレクタ（四つの楕円系反射面。従来の前側反射面に相当）に開口を形成することを要しない。
【００２４】
従って、請求項２に記載の発明によれば、従来と比べて、その開口を形成しない分、四つの楕円系反射面（従来の前側反射面に相当）の反射面積が増加することとなるため、光源バルブから照射される照射光の利用効率を向上させることが可能となる。
【００２５】
また、請求項２に記載の発明によれば、第２リフレクタ（四つの楕円系反射面。従来の前側反射面に相当）に開口を形成することを要しないので、従来のように、該開口から光源バルブからの直射光が照射されることに起因するグレアを防止することが可能となる。
【００２６】
また、請求項２に記載の発明によれば、楕円系反射面としての左右一対の反射面は、鉛直線に対して所定角度前方に傾斜した上下方向に延びる焦線を基準に構成されているため、従来の後方反射面とは異なり、鉛直方向上（又は鉛直方向下）に向かうにつれて徐々にすぼみ、少なくとも光源バルブの側方から後方にかけてのほぼ全範囲を覆う形状となる。
【００２７】
すなわち、請求項２に記載の発明によれば、光源バルブは、第１リフレクタ（左右一対の反射面）及び第２リフレクタ（四つの楕円系反射面）によって、そのほぼ全範囲が覆われることとなる。
【００２８】
このため、請求項２に記載の発明によれば、光源バルブからの照射光（該光源バルブの側方から後方にかけての範囲に照射される照射光を含む）をほぼ余すことなく反射することが可能となる。
【００２９】
従って、請求項２に記載の発明によれば、光源バルブから照射される照射光の利用効率をさらに向上させることが可能となる。
【００３０】
また、請求項２に記載の発明によれば、楕円系反射面としての左右一対の反射面は、鉛直線に対して所定角度前方に傾斜した上下方向に延びる焦線を基準に構成されているため、光源バルブから、少なくとも該光源バルブの側方から後方にかけての範囲に照射される照射光を傾斜平面に対して平行かつ水平方向に拡散するように反射することとなる。
【００３１】
これにより、請求項２に記載の発明によれば、前方所定位置に配置した垂直スクリーン上には、上端線が水平線とほぼ平行で、かつ、上端線が水平線から所定角度（鉛直線に対する焦線の傾斜角度と同じ角度）下の位置に位置する、全体的に均一な所定配光パターンを形成することが可能となる。
【００３２】
なお、この所定配光パターンが形成される位置は、鉛直線に対する焦線の傾斜角度を調整することで調整可能である。
【００３３】
従来の後方反射面にはその中央に光源バルブが挿入される開口が形成されているので、この後方反射面からの配光パターンには該配光パターンの中央（車両のほぼ前方）に暗部が現れ、ムラが目立つこととなる。
【００３４】
しかし、請求項２に記載の発明によれば、光源バルブが挿入される開口は、従来のように後方反射面の中央ではなく、右反射面と左反射面の間、すなわち、左右一対の反射面それぞれの端部に形成されている。
【００３５】
このため、請求項２に記載の発明によれば、左右一対の反射面からの配光パターンには該配光パターンの端部に暗部が現れ、車両の前方にはムラが現れないこととなる。また、この左右一対の反射面からの配光パターンは重なり合うこととなる。
【００３６】
従って、従来のように後方反射面の中央に光源バルブが挿入される開口を形成した場合と比べて、光源バルブからの照射光の欠落が生じ配光ムラが生ずるのを防止又は低減することが可能となる。
【００３７】
請求項３に記載の発明は、請求項２に記載の発明において、前記第１リフレクタには、前記四つの楕円系反射面それぞれからその対応する前記放物系反射面に向けて反射される反射光を通過させるための四つの開口が形成されており、前記四つの開口は、前記四つの楕円系反射面の第１焦点と該四つの楕円系反射面それぞれの第２焦点を結びかつ前記四つの放物系反射面と交わらない四本の直線上それぞれに形成されていることを特徴とする。
【００３８】
請求項３に記載の発明によれば、四つの開口は、四つの楕円系反射面の第１焦点と該四つの楕円系反射面それぞれの第２焦点を結びかつ前記四つの放物系反射面と交わらない四本の直線上それぞれに形成されているので、光源バルブの直射光が、各開口通過し、四つの放物系反射面に入射することに起因するグレア光の発生を防止することが可能となる。
【００３９】
また、請求項３に記載の発明によれば、第１リフレクタ（左右一対の反射面）の鉛直方向（上下方向）の高さを高くして反射面積を拡大したとしても、四つの楕円系反射面それぞれからの反射光は、該第１リフレクタによって遮られることなく、該第１リフレクタ（左右一対の反射面）に形成された開口を通過することとなる。
【００４０】
すなわち、請求項３に記載の発明によれば、第１リフレクタ（左右一対の反射面）の鉛直方向（上下方向）の高さを高くして該第１リフレクタ（左右一対の反射面）の反射面積を拡大することが可能となるため、光源バルブから照射される照射光の利用効率を向上させることが可能となる。
【００４１】
請求項４に記載の発明は、請求項２又は３に記載の発明において、前記四つの楕円系反射面それぞれには、前記左右一対の反射面それぞれの上端部又は下端部から漏れる前記光源バルブからの照射光をその対応する前記放物系反射面に向けて反射するための、該上端部又は下端部を塞ぐ突起状の反射面が形成されていることを特徴とする。
【００４２】
請求項４に記載の発明によれば、突起状の反射面により、光源バルブから照射されるすべての光を余すことなく捉え反射することが可能となる。すなわち、請求項４に記載の発明によれば、光源バルブから照射される照射光の利用効率をさらに向上させることが可能となる。
【００４３】
請求項５に記載の発明は、前記楕円系反射面としての前記左右一対の反射面のうちの、前記傾斜平面よりも下側の反射面部分は、前記鉛直面による切断面に現れる複数の放物線状の下側反射面によって構成されており、前記楕円系反射面としての前記左右一対の反射面のうちの、前記傾斜平面よりも上側の反射面部分は、前記鉛直面による切断面に現れる複数の放物線状の上側反射面によって構成されており、前記複数の放物線状の下側反射面それぞれは、焦点が前記光源バルブの発光源下端前端近傍に設定され、かつ、水平面よりも所定角度下向きに傾斜した光軸が設定されており、前記複数の放物線状の上側反射面それぞれは、焦点が前記光源バルブの発光源下端後端近傍に設定され、かつ、水平面よりも所定角度下向きに傾斜した光軸が設定されていることを特徴とする。
【００４４】
請求項５に記載の発明によれば、左右一対の反射面それぞれには、光源バルブの発光源の下端前端近傍及び下端後端近傍に焦点が設定されているため、光源バルブの発光源の投影像を所望の姿勢で投影し、明瞭なカットオフラインを有する所定配光パターンを形成することが可能となる。
【発明の効果】
【００４５】
本発明によれば、光源バルブから照射される照射光の利用効率をさらに向上させることが可能な車両用灯具を提供することが可能となる。
【発明を実施するための最良の形態】
【００４６】
以下、本発明の一実施形態である車両用灯具について図面を参照しながら説明する。
【００４７】
図１は、本実施形態の車両用灯具の主要構成を説明するための縦断面図である。図２は、図１に示した車両用灯具の側面図である。
【００４８】
本実施形態の車両用灯具１００は、自動車等の車両や自動二輪車のヘッドランプ等の前照灯に適用されるものであり、図１に示すように、光源バルブ１０、光源バルブ１０が挿入される開口２１が形成されたリフレクタ２０（左右一対の反射面２２Ｒ、２２Ｌ）、リフレクタ３０（四つの楕円系反射面３０ＲＵ、３０ＬＵ、３０ＲＬ、３０ＬＬ）、四つの楕円系反射面３０ＲＵ、３０ＬＵ、３０ＲＬ、３０ＬＬそれぞれに対応する四つの放物系反射面４０ＬＵ、４０ＲＵ、４０ＬＬ、４０ＲＬ等を備えている。
【００４９】
〔光源バルブ１０の構成〕
光源バルブ１０は、図２に示すように、フィラメントやアーク等の発光源１１がガラス管１２内に収容されたバルブタイプの光源であり、例えば、白熱電球、ハロゲンランプ、ＨＩＤである。光源バルブ１０は、リフレクタ２０に形成された開口２１に挿入され、水平面ＨＰよりもα°（例えば０．５〜１．５°）下向きに傾斜した灯具光軸ＡＸに長手方向を一致させた状態でリフレクタ２０に装着されている。
【００５０】
〔リフレクタ２０の構成〕
リフレクタ２０は、光源バルブ１０が挿入される開口２１が形成されており、図１、図５に示すように、光源バルブ１０の長手方向に対して左右両側それぞれに、少なくとも光源バルブ１０側方から後方にかけての範囲（光源バルブ１０の前方側から側方、後方にかけての範囲であってもよい）を覆うように配置された左右一対の反射面２２Ｒ、２２Ｌを備えている。
【００５１】
左右一対の反射面２２Ｒ、２２Ｌは同様の構成であるため、以下、反射面２２Ｒについて説明し、反射面２２Ｌについての説明を省略する。
【００５２】
反射面２２Ｒ（反射面２２Ｌも同様）は、光源バルブ１０から、該光源バルブ１０の側方から後方にかけての範囲に照射される照射光を反射する楕円系反射面であって、図１、図３に示すように、少なくとも光源バルブ１０の側方から後方にかけての範囲を覆うように配置されている。
【００５３】
反射面２２Ｒ（反射面２２Ｌも同様）には、鉛直線Ｖに対してα°（例えば０．５〜１．５°）前方に傾斜した直線状の焦線ＦＬが設定されている。図２は、反射面２２Ｒ（反射面２２Ｌも同様）に設定された直線状の焦線ＦＬの例である。この直線状の焦線ＦＬは、図１に示すように、灯具正面視において第１リフレクタ２０（反射面２２Ｒ）とリフレクタ３０（四つの楕円系反射面３０ＵＲ、３０ＵＬ、３０ＤＲ、３０ＤＬ）との間に設定されている。
【００５４】
このため、反射面２２Ｒ（反射面２２Ｌも同様）からの反射光は、図１、図４に示すように、リフレクタ２０（反射面２２Ｒ）とリフレクタ３０（四つの楕円系反射面３０ＵＲ、３０ＵＬ、３０ＤＲ、３０ＤＬ）との間のスペースを通過し照射されることとなる。
【００５５】
本実施形態の反射面２２Ｒ（反射面２２Ｌも同様）は、この直線状の焦線ＦＬを基準に、以下のように構成されている。
【００５６】
〔反射面２２Ｒ（傾斜平面Ｉよりも下側の反射面２２Ｒ部分）の構成〕
反射面２２Ｒ（傾斜平面Ｉよりも下側の反射面２２Ｒ部分）は、図２、図４に示すように、水平面ＨＰ対してα°（例えば０．５〜１．５°）下向きに傾斜しかつ光源バルブ１０の発光源１１の下端１１ｃを通る傾斜平面Ｉ（図１参照）及び該傾斜平面Ｉに平行な平面Ｉ´による切断面に現れる複数の楕円円弧状の反射面２２ＲＥ１（図４参照）、及び、傾斜平面Ｉによる切断面に現れる楕円円弧状の反射面２２ＲＥ１で反射される光源バルブ１０からの仮想光線を含む鉛直面ＶＰ（図１参照）による切断面に現れる複数の放物線状の反射面２２ＲＰ１（図４参照）が滑らかに連続した楕円系反射面として構成されている。
【００５７】
複数の楕円円弧状の反射面２２ＲＥ１それぞれは、図４に示すように、第１焦点Ｆ１が光源バルブ１０近傍に設定され、かつ、第２焦点Ｆ２が直線状の焦線ＦＬ上に設定されている。
【００５８】
また、複数の放物線状の反射面２２ＲＰ１それぞれは、図２、図４に示すように、焦点Ｆ３２が光源バルブ１０の発光源１１の下端前端１１ｂ近傍に設定され、かつ、水平面ＨＰよりもα°（例えば０．５〜１．５°）下向きに傾斜した光軸が設定されている。
【００５９】
このように、反射面２２Ｒ（傾斜平面Ｉよりも下側の反射面２２Ｒ部分）には、光源バルブ１０の発光源１１の下端前端１１ｂ近傍に焦点Ｆ３２が設定されているため、光源バルブ１０の発光源１１の投影像を所望の姿勢で投影し、明瞭なカットオフラインを有する所定配光パターンＰ１（図６参照）を形成することが可能となる。
【００６０】
〔反射面２２Ｒ（傾斜平面Ｉよりも上側の反射面２２Ｒ部分）の構成〕
反射面２２Ｒ（傾斜平面Ｉよりも上側の反射面２２Ｒ部分）は、図２、図４に示すように、下側の反射面２２Ｒ部分と同様、水平面ＨＰに対してα°（例えば０．５〜１．５°）下向きに傾斜しかつ光源バルブ１０の発光源１１の下端１１ｃを通る傾斜平面Ｉ（図１参照）及び該傾斜平面Ｉに平行な平面Ｉ´（図４参照）による切断面に現れる複数の楕円円弧状の反射面２２ＲＥ２、及び、傾斜平面Ｉによる切断面に現れる楕円円弧状の反射面反射面２２ＲＥ２で反射される光源バルブ１０からの仮想光線を含む鉛直面ＶＰ（図１参照）による切断面に現れる複数の放物線状の反射面２２ＲＰ２が滑らかに連続した楕円系反射面として構成されている。
【００６１】
複数の楕円円弧状の反射面２２ＲＥ２それぞれは、図４に示すように、第１焦点Ｆ１が光源バルブ１０近傍に設定され、かつ、第２焦点Ｆ２が直線状の焦線ＦＬ上に設定されている。
【００６２】
また、複数の放物線状の反射面２２ＲＰ２それぞれは、図２、図４に示すように、焦点Ｆ３２が光源バルブ１０の発光源１１の下端後端１１ａ近傍に設定され、かつ、水平面ＨＰよりもα°（例えば０．５〜１．５°）下向きに傾斜した光軸が設定されている。
【００６３】
このように、反射面２２Ｒ（傾斜平面Ｉよりも上側の反射面２２Ｒ部分）には、光源バルブ１０の発光源１１の下端後端１１ａ近傍に焦点Ｆ３２が設定されているため、光源バルブ１０の発光源１１の投影像を所望の姿勢で投影し、明瞭なカットオフラインを有する所定配光パターンＰ１（図６参照）を形成することが可能となる。
【００６４】
以上のように、反射面２２Ｒ（反射面２２Ｌも同様）は、直線状の焦線ＦＬを基準に構成されているため、従来の後方反射面とは異なり、図１、図３に示すように、鉛直方向上（及び鉛直方向下）に向かうにつれて徐々にすぼみ、少なくとも光源バルブ１０の側方から後方にかけてのほぼ全範囲を覆う形状となる。すなわち、光源バルブ１０は、リフレクタ２０（左右一対の反射面２２Ｒ、２２Ｌ）及びリフレクタ３０（四つの楕円系反射面３０ＲＵ、３０ＬＵ、３０ＲＬ、３０ＬＬ）によって、そのほぼ全範囲が覆われることとなる。
【００６５】
このため、車両用前照灯１００においては、光源バルブ１０から、該光源バルブ１０の側方から後方にかけての範囲に照射される照射光（該光源バルブの側方から後方にかけての範囲に照射される照射光を含む）をほぼ余すことなく反射することが可能となる。従って、光源バルブ１０から照射される照射光の利用効率をさらに向上させることが可能となる。
【００６６】
〔四つの楕円系反射面３０ＲＵ、３０ＬＵ、３０ＲＬ、３０ＬＬの構成〕
四つの楕円系反射面３０ＲＵ、３０ＬＵ、３０ＲＬ、３０ＬＬそれぞれは、光源バルブ１０から該光源バルブ１０の前方に照射される照射光をその対応する放物系反射面４０ＬＵ、４０ＲＵ、４０ＬＬ、４０ＲＬに向けて反射する反射面であって、図１、図５に示すように、光源バルブ１０前方を覆うように該光源バルブ１０の前方右上、右下、左上及び左下それぞれに配置されている。
【００６７】
具体的には、四つの楕円系反射面３０ＲＵ、３０ＬＵ、３０ＲＬ、３０ＬＬそれぞれは、図５に示すように、第１焦点Ｆ３が光源バルブ１０近傍に設定され、かつ、第２焦点Ｆ４がその対応する放物系反射面４０ＬＵ、４０ＲＵ、４０ＬＬ、４０ＲＬと反射面２２Ｒ、２２Ｌの間に設定された楕円系反射面である。
【００６８】
図１、図５に示すように、左右一対の反射面２２Ｒ、２２Ｌそれぞれには、四つの楕円系反射面３０ＲＵ、３０ＬＵ、３０ＲＬ、３０ＬＬそれぞれからその対応する放物系反射面４０ＬＵ、４０ＲＵ、４０ＬＬ、４０ＲＬに向けて反射される反射光を通過させるための最小限の開口２３（図５中四つの開口２３を例示）が形成されている。この四つの開口２３は、四つの楕円系反射面３０ＲＵ、３０ＬＵ、３０ＲＬ、３０ＬＬそれぞれの第２焦点Ｆ４に対応する位置に形成されている。
【００６９】
具体的には、四つの開口２３は、四つの楕円系反射面３０ＲＵ、３０ＬＵ、３０ＲＬ、３０ＬＬの第１焦点Ｆ３と該四つの楕円系反射面３０ＲＵ、３０ＬＵ、３０ＲＬ、３０ＬＬそれぞれの第２焦点Ｆ４を結びかつ四つの放物系反射面４０ＬＵ、４０ＲＵ、４０ＬＬ、４０ＲＬと交わらない四本の直線上Ｌ１、Ｌ２、Ｌ３、Ｌ４それぞれに形成されている。
【００７０】
また、四つの楕円系反射面３０ＲＵ、３０ＬＵ、３０ＲＬ、３０ＬＬそれぞれの第２焦点Ｆ４は、開口２３を最小にするために、第１リフレクタ２０の反射面２２Ｒ、２２Ｌ上か、その近傍に設定されている。すなわち、各第２焦点Ｆ４の位置は、図５に示すように、第１焦点Ｆ３と各第２焦点Ｆ４を結んだ直線Ｌ１、Ｌ２、Ｌ３、Ｌ４が放物系反射面４０ＬＵ、４０ＲＵ、４０ＬＬ、４０ＲＬに交わらないように選定されている。
【００７１】
このように、四つの開口２３は、四つの楕円系反射面３０ＲＵ、３０ＬＵ、３０ＲＬ、３０ＬＬの第１焦点Ｆ３と該四つの楕円系反射面３０ＲＵ、３０ＬＵ、３０ＲＬ、３０ＬＬそれぞれの第２焦点Ｆ４を結びかつ四つの放物系反射面４０ＬＵ、４０ＲＵ、４０ＬＬ、４０ＲＬと交わらない四本の直線Ｌ１、Ｌ２、Ｌ３、Ｌ４上それぞれに形成されているので、光源バルブ１０からの直射光が、各開口部２３を通過し、放物系反射面４０ＬＵ、４０ＲＵ、４０ＬＬ、４０ＲＬに入射することに起因するグレア光の発生を防止することが可能となっている。
【００７２】
また、リフレクタ２０（左右一対の反射面２２Ｒ、２２Ｌ）の鉛直方向（上下方向）の高さを高くして反射面積を拡大したとしても、四つの楕円系反射面３０ＲＵ、３０ＬＵ、３０ＲＬ、３０ＬＬそれぞれからの反射光は、該リフレクタ２０（左右一対の反射面２２Ｒ、２２Ｌ）によって遮られることなく、該リフレクタ２０（左右一対の反射面２２Ｒ、２２Ｌ）に形成された開口２３を通過することとなる。
【００７３】
このため、リフレクタ２０（左右一対の反射面２２Ｒ、２２Ｌ）の鉛直方向（上下方向）の高さを高くして該リフレクタ２０（左右一対の反射面２２Ｒ、２２Ｌ）の反射面積を拡大することが可能となるため、光源バルブ１０から照射される照射光の利用効率を向上させることが可能となる。
【００７４】
楕円系反射面３０ＲＵからの反射光は、図５に示すように、反射面２２Ｌ上側に形成された開口２３を通過し、該楕円系反射面３０ＲＵに対応する放物系反射面４０ＬＵを照射する。他の楕円系反射面３０ＬＵ、３０ＲＬ、３０ＬＬからの反射光についても同様である。
【００７５】
なお、楕円系反射面３０ＲＵ、３０ＬＵ、３０ＲＬ、３０ＬＬそれぞれには、図１、図３、図５に示すように、左右一対の反射面２２Ｒ、２２Ｌそれぞれの上端部又は下端部から漏れる光源バルブ１０からの照射光をその対応する放物系反射面に向けて反射するための、該上端部又は下端部を塞ぐ突起状の反射面３１ＲＵ、３１ＬＵ、３１ＲＬ、３１ＬＬが形成されている。
【００７６】
これらの突起状の反射面３１ＲＵ、３１ＬＵ、３１ＲＬ、３１ＬＬも、四つの楕円系反射面３０ＲＵ、３０ＬＵ、３０ＲＬ、３０ＬＬと同様、第１焦点Ｆ３が光源バルブ１０近傍に設定され、かつ、第２焦点Ｆ４がその対応する放物系反射面４０ＬＵ、４０ＲＵ、４０ＬＬ、４０ＲＬと反射面２２Ｒ、２２Ｌの間に設定された楕円系反射面である。
【００７７】
これらの突起状の反射面３１ＲＵ、３１ＬＵ、３１ＲＬ、３１ＬＬにより、光源バルブ１０から照射されるすべての光を余すことなく捉え反射することが可能となる。すなわち、光源バルブ１０から照射される照射光の利用効率をさらに向上させることが可能となる。
【００７８】
〔四つの放物系反射面４０ＬＵ、４０ＲＵ、４０ＬＬ、４０ＲＬの構成〕
四つの放物系反射面４０ＬＵ、４０ＲＵ、４０ＬＬ、４０ＲＬそれぞれは、その対応する楕円系反射面３０ＵＲ、３０ＵＬ、３０ＤＲ、３０ＤＬからの反射光を反射するための反射面であって、図１、図５に示すように、光源バルブ１０の両側左上、左下、右上及び右下それぞれに配置されている。
【００７９】
具体的には、四つの放物系反射面４０ＬＵ、４０ＲＵ、４０ＬＬ、４０ＲＬそれぞれは、図５に示すように、焦点Ｆ５がその対応する楕円系反射面３０ＵＲ、３０ＵＬ、３０ＤＲ、３０ＤＬの第二焦点Ｆ４に設定された放物系反射面である。
【００８０】
楕円系反射面３０ＲＵからの反射光は、図５に示すように、開口２３を通過し、該楕円系反射面３０ＲＵに対応する放物系反射面４０ＬＵで反射され、図６に示すように、所定配光パターンＰ１に重畳される所定配光パターンＰ２を形成する。他の楕円系反射面３０ＬＵ、３０ＲＬ、３０ＬＬからの反射光についても同様である。
【００８１】
以上説明したように、本実施形態の車両用前照灯１００によれば、図１、図２に示すように、直線状の焦線ＦＬは、灯具正面視においてリフレクタ２０（反射面２２Ｒ、２２Ｌ）とリフレクタ３０（四つの楕円系反射面３０ＵＲ、３０ＵＬ、３０ＤＲ、３０ＤＬ）との間に設定されている。
【００８２】
このため、本実施形態の車両用前照灯１００によれば、反射面２２Ｒ（反射面２２Ｌも同様）からの反射光は、リフレクタ２０（反射面２２Ｒ、２２Ｌ）とリフレクタ３０（四つの楕円系反射面３０ＵＲ、３０ＵＬ、３０ＤＲ、３０ＤＬ）との間のスペースを通過し照射されることとなる。
【００８３】
すなわち、本実施形態の車両用前照灯１００によれば、リフレクタ３０（四つの楕円系反射面３０ＵＲ、３０ＵＬ、３０ＤＲ、３０ＤＬ。従来の前側反射面に相当）に開口を形成することを要しない。
【００８４】
従って、本実施形態の車両用前照灯１００によれば、従来と比べて、その開口を形成しない分、リフレクタ３０（四つの楕円系反射面３０ＵＲ、３０ＵＬ、３０ＤＲ、３０ＤＬ。従来の前側反射面に相当）の反射面積が増加することとなるため、光源バルブ１０から照射される照射光の利用効率を向上させることが可能となる。
【００８５】
また、本実施形態の車両用前照灯１００によれば、リフレクタ３０（四つの楕円系反射面３０ＵＲ、３０ＵＬ、３０ＤＲ、３０ＤＬ。従来の前側反射面に相当）に開口を形成することを要しないので、従来のように、該開口から光源バルブ１０からの直射光が照射されることに起因するグレアを防止することが可能となる。
【００８６】
また、本実施形態の車両用前照灯１００によれば、反射面２２Ｒ（反射面２２Ｌも同様）は、直線状の焦線ＦＬを基準に構成されているため、従来の後方反射面とは異なり、図１、図３に示すように、鉛直方向上（又は鉛直方向下）に向かうにつれて徐々にすぼみ、少なくとも光源バルブ１０の側方から後方にかけてのほぼ全範囲を覆う形状となる。すなわち、光源バルブ１０は、リフレクタ２０（左右一対の反射面２２Ｒ、２２Ｌ）及びリフレクタ３０（四つの楕円系反射面３０ＲＵ、３０ＬＵ、３０ＲＬ、３０ＬＬ）によって、そのほぼ全範囲が覆われることとなる。
【００８７】
このため、本実施形態の車両用前照灯１００によれば、光源バルブ１０から、該光源バルブ１０の側方から後方にかけての範囲に照射される照射光（該光源バルブ１０の側方から後方にかけての範囲に照射される照射光を含む）をほぼ余すことなく反射することが可能となる。
【００８８】
従って、本実施形態の車両用灯具１００によれば、光源バルブ１０から照射される照射光の利用効率をさらに向上させることが可能となる。
【００８９】
また、本実施形態の車両用前照灯１００によれば、楕円系反射面としての反射面２２Ｒ（反射面２２Ｌも同様）は、直線状の焦線ＦＬを基準に構成されているため、図２、図４に示すように、光源バルブ１０から、少なくとも該光源バルブ１０の側方から後方にかけての範囲に照射される照射光を傾斜平面Ｉ（図１参照）に対して平行かつ水平方向に拡散するように反射することとなる。
【００９０】
これにより、本実施形態の車両用前照灯１００によれば、図６に示すように、前方所定位置に配置した垂直スクリーン上には、上端線が水平線Ｈとほぼ平行で、かつ、上端線が水平線Ｈからα°（例えば０．５〜１．５°。鉛直線Ｖに対する直線状の焦線ＦＬの傾斜角度と同じ角度）下の位置に位置する、全体的に均一な所定配光パターンＰ１を形成することが可能となる。
【００９１】
なお、この所定配光パターンＰ１が形成される位置は、鉛直線Ｖに対する直線状の焦線ＦＬの傾斜角度を調整することで調整可能である。
【００９２】
また、本実施形態の車両用前照灯１００によれば、光源バルブ１０が挿入される開口１１は、従来のように後方反射面の中央ではなく、図１に示すように、右反射面２２Ｒと左反射面２２Ｌの間、すなわち、左右一対の反射面２２Ｒ、２２Ｌそれぞれの端部に形成されている。
【００９３】
このため、本実施形態の車両用前照灯１００によれば、左右一対の反射面からの配光パターンには該配光パターンの端部に暗部が現れ、車両の前方にはムラが現れないこととなる。また、この左右一対の反射面からの配光パターンは重なり合うこととなる。
【００９４】
従って、従来のように後方反射面の中央に光源バルブ１０が挿入される開口を形成した場合と比べて、光源バルブ１０からの照射光の欠落が生じ配光ムラが生ずるのを防止又は低減することが可能となる。
【００９５】
次に、変形例について説明する。
【００９６】
〔第１変形例〕
上記実施形態においては、焦線ＦＬは直線状の焦線であるように説明したが、本発明はこれに限定されない。例えば、焦線ＦＬは、傾斜角度の異なる複数本の直線状の焦線を連結した折れ線状の焦線であってもよい。
【００９７】
以下、この変形例１の反射面２２Ｒ（反射面２２Ｌも同様）の構成について説明する。図７は、反射面２２Ｒ（反射面２２Ｌも同様）に設定された、傾斜角度の異なる二本の直線状の焦線を連結した折れ線状の焦線ＦＬの例である。
【００９８】
〔反射面２２Ｒ（傾斜平面Ｉよりも下側の反射面２２Ｒ部分）の構成〕
図７に示すように、本変形例１の反射面２２Ｒ（傾斜平面Ｉよりも下側の反射面２２Ｒ部分）には、鉛直線Ｖに対してα１°（例えば０．５〜１．５°）後方に傾斜した直線状の下側焦線ＦＬ１が設定されている。
【００９９】
この直線状の下側焦線ＦＬ１は、図１に示すように、灯具正面視においてリフレクタ２０（反射面２２Ｒ）とリフレクタ３０（四つの楕円系反射面３０ＵＲ、３０ＵＬ、３０ＤＲ、３０ＤＬ）との間に設定されている。
【０１００】
このため、本変形例１の反射面２２Ｒ（傾斜平面Ｉよりも下側の反射面２２Ｒ部分）からの反射光は、リフレクタ２０（反射面２２Ｒ）とリフレクタ３０（四つの楕円系反射面３０ＵＲ、３０ＵＬ、３０ＤＲ、３０ＤＬ）との間のスペースを通過し照射されることとなる。
【０１０１】
本変形例１の反射面２２Ｒ（傾斜平面Ｉよりも下側の反射面２２Ｒ部分）は、この直線状の焦線ＦＬ１を基準に、以下のように構成されている。
【０１０２】
反射面２２Ｒ（傾斜平面Ｉよりも下側の反射面２２Ｒ部分）は、図４、図７に示すように、水平面ＨＰ対してα１°（例えば０．５〜１．５°）下向きに傾斜しかつ光源バルブ１０の発光源１１の下端１１ｃを通る傾斜平面Ｉ１（図１、図７参照）及び該傾斜平面Ｉ１に平行な平面Ｉ１´による切断面に現れる複数の楕円円弧状の反射面２２ＲＥ１（図４参照）、及び、傾斜平面Ｉ１による切断面に現れる楕円円弧状の反射面反射面２２ＲＥ１で反射される光源バルブ１０からの仮想光線を含む鉛直面ＶＰ（図１参照）による切断面に現れる複数の放物線状の反射面２２ＲＰ１（図４参照）が滑らかに連続した楕円系反射面として構成されている。
【０１０３】
複数の楕円円弧状の反射面２２ＲＥ１それぞれは、図４に示すように、第１焦点Ｆ１が光源バルブ１０近傍に設定され、かつ、第２焦点Ｆ２が直線状の下側焦線ＦＬ１上に設定されている。
【０１０４】
また、複数の放物線状の反射面２２ＲＰ１それぞれは、図４、図７に示すように、焦点Ｆ３２が光源バルブ１０の発光源１１の下端前端１１ｂ近傍に設定され、かつ、水平面ＨＰよりもα１°（例えば０．５〜１．５°）下向きに傾斜した光軸が設定されている。
【０１０５】
〔反射面２２Ｒ（傾斜平面Ｉよりも上側の反射面２２Ｒ部分）の構成〕
図７に示すように、本変形例１の反射面２２Ｒ（傾斜平面Ｉよりも上側の反射面２２Ｒ部分）には、直線状の下側焦線ＦＬ１（の延長線）に対してα１°（例えば０．５〜１．５°）前方に傾斜した直線状の上側焦線ＦＬ２が設定されている。すなわち、本変形例１の反射面２２Ｒ（傾斜平面Ｉよりも上側の反射面２２Ｒ部分）には、鉛直線Ｖに対してβ°（例えば最大３°）前方に傾斜した直線状の上側焦線ＦＬ２が設定されている。
【０１０６】
この直線状の上側焦線ＦＬ２は、図１に示すように、灯具正面視においてリフレクタ２０（反射面２２Ｒ）とリフレクタ３０（四つの楕円系反射面３０ＵＲ、３０ＵＬ、３０ＤＲ、３０ＤＬ）との間に設定されている。
【０１０７】
このため、本変形例１の反射面２２Ｒ（傾斜平面Ｉよりも上側の反射面２２Ｒ部分）からの反射光は、リフレクタ２０（反射面２２Ｒ）とリフレクタ３０（四つの楕円系反射面３０ＵＲ、３０ＵＬ、３０ＤＲ、３０ＤＬ）との間のスペースを通過し照射されることとなる。
【０１０８】
本変形例１の反射面２２Ｒ（傾斜平面Ｉよりも上側の反射面２２Ｒ部分）は、この直線状の焦線ＦＬ２を基準に、以下のように構成されている。
【０１０９】
反射面２２Ｒ（傾斜平面Ｉよりも上側の反射面２２Ｒ部分）は、図４、図７に示すように、傾斜平面Ｉ１に対してα２°（例えば０．５〜１．５°）下向きに傾斜した傾斜平面Ｉ２（図７参照）及び該傾斜平面Ｉ２に平行な平面Ｉ２´による切断面に現れる複数の楕円円弧状の反射面２２ＲＥ２（図４参照）、及び、傾斜平面Ｉ２による切断面に現れる楕円円弧状の反射面反射面２２ＲＥ２で反射される光源バルブ１０からの仮想光線を含む鉛直面ＶＰ（図１参照）による切断面に現れる複数の放物線状の反射面２２ＲＰ２（図４参照）が滑らかに連続した楕円系反射面として構成されている。
【０１１０】
複数の楕円円弧状の反射面２２ＲＥ２それぞれは、図４に示すように、第１焦点Ｆ１が光源バルブ１０近傍に設定され、かつ、第２焦点Ｆ２が直線状の上側焦線ＦＬ２上に設定されている。
【０１１１】
また、複数の放物線状の反射面２２ＲＰ２それぞれは、図４、図７に示すように、焦点Ｆ３２が光源バルブ１０の発光源１１の下端後端１１ａ近傍に設定され、かつ、第１傾斜面Ｉ１よりもα１°（例えば０．５〜１．５°）下向きに傾斜した（すなわち、水平面ＨＰよりもβ°（例えば最大３°）下向きに傾斜した）光軸が設定されている。
【０１１２】
以上のように、本変形例１の反射面２２Ｒ（傾斜平面Ｉよりも下側の反射面２２Ｒ部分）は、直線状の下側焦線ＦＬ１を基準に構成されているため、図２、図７に示すように、光源バルブ１０から、該光源バルブ１０の側方から後方にかけての範囲に照射される照射光を傾斜平面Ｉ１（図１参照）に対して平行かつ水平方向に拡散するように反射することとなる。
【０１１３】
これにより、本変形例１によれば、図８に示すように、前方所定位置に配置した垂直スクリーン上には、上端線が水平線Ｈとほぼ平行で、かつ、上端線が水平線Ｈからα１°（例えば０．５〜１．５°。鉛直線Ｖに対する直線状の下側焦線ＦＬ１の傾斜角度と同じ角度）下の位置に位置する所定配光パターンＰ３を形成することが可能となる。
【０１１４】
なお、この所定配光パターンＰ３が形成される位置は、鉛直線Ｖに対する直線状の下側焦線ＦＬ１の傾斜角度を調整することで調整可能である。
【０１１５】
さらに、本変形例１の反射面２２Ｒ（傾斜平面Ｉよりも上側の反射面２２Ｒ部分）は、直線状の上側焦線ＦＬ２を基準に構成されているため、図２、図７に示すように、光源バルブ１０から、該光源バルブ１０の側方から後方にかけての範囲に照射される照射光を傾斜平面Ｉ２（図１参照）に対して平行かつ水平方向に拡散するように反射することとなる。
【０１１６】
これにより、本変形例１によれば、図８に示すように、前方所定位置に配置した垂直スクリーン上には、上端線が水平線Ｈとほぼ平行で、かつ、上端線が所定配光パターンＰ３の上端線からα２°下の位置に位置する所定配光パターンＰ４を形成することが可能となる。すなわち、上端線が水平線Ｈからβ°（例えば最大３°。鉛直線Ｖに対する直線状の上側焦線ＦＬ２の傾斜角度と同じ角度）下の位置に位置する所定配光パターンＰ４を形成することが可能となる。
【０１１７】
なお、この所定配光パターンＰ４が形成される位置は、鉛直線Ｖに対する直線状の下側焦線ＦＬ２の傾斜角度を調整することで調整可能である。
【０１１８】
以上のように、本変形例１においては、傾斜角度の異なる二本の直線状の焦線ＦＬ１、ＦＬ２を連結した折れ線状の焦線ＦＬを用いたので、所定配光パターンＰ３と所定配光パターンＰ４とがずれた状態で形成される。
【０１１９】
このため、光源バルブ１０として高輝度のものを用いたとしても、グレアが少なく全体的に均一な配光パターンを形成することが可能となる。その他、本変形例１においても、上記実施形態と同様の効果を奏することとなる。
【０１２０】
〔第２変形例〕
また、焦線ＦＬは、曲線状の焦線を全体としてＳ字状に連結した曲線状の焦線であってもよい。
【０１２１】
以下、この変形例２の反射面２２Ｒ（反射面２２Ｌも同様）の構成について説明する。図９は、反射面２２Ｒ（反射面２２Ｌも同様）に設定された、曲線状の焦線を全体としてＳ字状に連結した曲線状の焦線の例である。
【０１２２】
〔反射面２２Ｒ（傾斜平面Ｉよりも下側の反射面２２Ｒ部分）の構成〕
図９に示すように、本変形例２の反射面２２Ｒ（傾斜平面Ｉよりも下側の反射面２２Ｒ部分）には、鉛直線Ｖに対してα°（例えば０．５〜１．５°）後方に傾斜した直線Ｌに接する曲線状（例えば所定曲率の円弧）の下側焦線ＦＣ１が設定されている。
【０１２３】
この曲線状の下側焦線ＦＣ１は、図１に示すように、灯具正面視においてリフレクタ２０（反射面２２Ｒ）とリフレクタ３０（四つの楕円系反射面３０ＵＲ、３０ＵＬ、３０ＤＲ、３０ＤＬ）との間に設定されている。
【０１２４】
このため、本変形例２の反射面２２Ｒ（傾斜平面Ｉよりも下側の反射面２２Ｒ部分）からの反射光は、リフレクタ２０（反射面２２Ｒ）とリフレクタ３０（四つの楕円系反射面３０ＵＲ、３０ＵＬ、３０ＤＲ、３０ＤＬ）との間のスペースを通過し照射されることとなる。
【０１２５】
本変形例２の反射面２２Ｒ（傾斜平面Ｉよりも下側の反射面２２Ｒ部分）は、この曲線状の焦線ＦＣ１を基準に、以下のように構成されている。
【０１２６】
反射面２２Ｒ（傾斜平面Ｉよりも下側の反射面２２Ｒ部分）は、図４、図９に示すように、水平面ＨＰ対してα°（例えば０．５〜１．５°）下向きに傾斜しかつ光源バルブ１０の発光源１１の下端１１ｃを通る傾斜平面Ｉ（図１、図９参照）及び該傾斜平面Ｉに平行な平面Ｉ´による切断面に現れる複数の楕円円弧状の反射面２２ＲＥ１（図４参照）、及び、傾斜平面Ｉによる切断面に現れる楕円円弧状の反射面反射面２２ＲＥ１で反射される光源バルブ１０からの仮想光線を含む鉛直面ＶＰ（図１参照）による切断面に現れる複数の放物線状の反射面２２ＲＰ１（図４参照）が滑らかに連続した楕円系反射面として構成されている。
【０１２７】
複数の楕円円弧状の反射面２２ＲＥ１それぞれは、図４に示すように、第１焦点Ｆ１が光源バルブ１０近傍に設定され、かつ、第２焦点Ｆ２が曲線状の下側焦線ＦＣ１上に設定されている。
【０１２８】
また、複数の放物線状の反射面２２ＲＰ１それぞれは、図４、図９に示すように、焦点Ｆ３２が光源バルブ１０の発光源１１の下端前端１１ｂからさらに０．５〜１０ｍｍの前方位置近傍に設定され、かつ、水平面ＨＰよりもα°（例えば０．５〜１．５°）下向きに傾斜した光軸が設定されている。
【０１２９】
〔反射面２２Ｒ（傾斜平面Ｉよりも上側の反射面２２Ｒ部分）の構成〕
図９に示すように、本変形例２の反射面２２Ｒ（傾斜平面Ｉよりも上側の反射面２２Ｒ部分）には、鉛直線Ｖに対してα°（例えば０．５〜１．５°）前方に傾斜した直線Ｌに接する曲線状（例えば所定曲率の円弧）の上側焦線ＦＣ２が設定されている。
【０１３０】
この曲線状の上側焦線ＦＣ２は、図１に示すように、灯具正面視においてリフレクタ２０（反射面２２Ｒ）とリフレクタ３０（四つの楕円系反射面３０ＵＲ、３０ＵＬ、３０ＤＲ、３０ＤＬ）との間に設定されている。
【０１３１】
このため、本変形例２の反射面２２Ｒ（傾斜平面Ｉよりも上側の反射面２２Ｒ部分）からの反射光は、リフレクタ２０（反射面２２Ｒ）とリフレクタ３０（四つの楕円系反射面３０ＵＲ、３０ＵＬ、３０ＤＲ、３０ＤＬ）との間のスペースを通過し照射されることとなる。
【０１３２】
本変形例２の反射面２２Ｒ（傾斜平面Ｉよりも上側の反射面２２Ｒ部分）は、この曲線状の上側焦線ＦＣ２を基準に、以下のように構成されている。
【０１３３】
反射面２２Ｒ（傾斜平面Ｉよりも上側の反射面２２Ｒ部分）は、図４、図９に示すように、水平面ＨＰ対してα°（例えば０．５〜１．５°）下向きに傾斜しかつ光源バルブ１０の発光源１１の下端１１ｃを通る傾斜平面Ｉ（図１、図９参照）及び該傾斜平面Ｉに平行な平面Ｉ´による切断面に現れる複数の楕円円弧状の反射面２２ＲＥ２（図４参照）、及び、傾斜平面Ｉによる切断面に現れる楕円円弧状の反射面反射面２２ＲＥ２で反射される光源バルブ１０からの仮想光線を含む鉛直面ＶＰ（図１参照）による切断面に現れる複数の放物線状の反射面２２ＲＰ２が滑らかに連続した楕円系反射面として構成されている。
【０１３４】
複数の楕円円弧状の反射面２２ＲＥ２それぞれは、図４に示すように、第１焦点Ｆ１が光源バルブ１０近傍に設定され、かつ、第２焦点Ｆ２が曲線状の上側焦線ＦＣ２上に設定されている。
【０１３５】
また、複数の放物線状の反射面２２ＲＰ２それぞれは、図４、図９に示すように、焦点Ｆ３１が光源バルブ１０の発光源１１の下端後端１１ａからさらに０．５〜１０ｍｍの後方位置近傍に設定され、かつ、水平面ＨＰよりもα°（例えば０．５〜１．５°）下向きに傾斜した光軸が設定されている。
【０１３６】
以上のように、本変形例２の反射面２２Ｒ（傾斜平面Ｉよりも下側の反射面２２Ｒ部分）は曲線状の下側焦線ＦＣ１を基準に構成されており、かつ、反射面２２Ｒ（傾斜平面Ｉよりも上側の反射面２２Ｒ部分）は曲線状の上側焦線ＦＣ２を基準に構成されている。
【０１３７】
このため、反射面２２Ｒは、図２、図９に示すように、光源バルブ１０から、該光源バルブ１０の側方から後方にかけての範囲に照射される照射光を傾斜平面Ｉ（図１参照）に対して平行かつ上下水平方向に拡散するように反射することとなる。
【０１３８】
これにより、本変形例２によれば、図１０に示すように、前方所定位置に配置した垂直スクリーン上には、上端線が水平線Ｈとほぼ平行で、かつ、上端線が水平線Ｈからα°（例えば０．５〜１．５°。鉛直線Ｖに対する直線Ｌの傾斜角度と同じ角度）下の位置に位置する所定配光パターンＰ５を形成することが可能となる。
【０１３９】
なお、この所定配光パターンＰ５が形成される位置は、鉛直線Ｖに対する直線Ｌの傾斜角度を調整することで調整可能である。
【０１４０】
以上のように、本変形例２においては、曲線状の焦線ＦＬ１、ＦＬ２を全体としてＳ字状に連結した曲線状の焦線ＦＬを用いたので、所定配光パターンＰ５は、他の配光パターンＰ１〜４と比べて、上下方向にある程度の幅を持つこととなる。このため、本変形例２においては、光源バルブ１０として高輝度のものを用いたとしても、グレアが少ない配光パターンとなる。
【０１４１】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【０１４２】
【図１】本実施形態の車両用灯具の主要構成を説明するための縦断面図である
【図２】図１に示した車両用灯具の側面図であり、楕円系反射面としての反射面２２Ｒ、２２Ｌに設定される直線状の焦線を説明するための図である。
【図３】図１に示した車両用灯具の右斜め上方に視点を置いた斜視図である。
【図４】楕円系反射面としての反射面２２Ｒ、２２Ｌの構成を説明するための図である。
【図５】図１に示した車両用灯具の正面図である。
【図６】本実施形態の車両用灯具により形成される配光パターン例を説明するための図である。
【図７】本実施形態の車両用灯具の変形例１の側面図であり、楕円系反射面としての反射面２２Ｒ、２２Ｌに設定される折れ線状の焦線を説明するための図である。
【図８】本実施形態の車両用灯具の変形例１により形成される配光パターン例を説明するための図である。
【図９】本実施形態の車両用灯具の変形例２の側面図であり、楕円系反射面としての反射面２２Ｒ、２２Ｌに設定されるＳ字状の焦線を説明するための図である。
【図１０】本実施形態の車両用灯具の変形例２により形成される配光パターン例を説明するための図である。
【図１１】従来の車両用灯具を、灯具光軸ＡＸを含む水平面で切断した断面図である。
【符号の説明】
【０１４３】
１００…車両用灯具、１０…光源バルブ、１１…発光源、１１ａ…下端後端、１１ｂ…下端前端、１２…ガラス管、２０…反射面、２１…開口、２２Ｌ…反射面、２２Ｒ…反射面、２２ＲＥ１…楕円円弧状の反射面、２２ＲＥ２…楕円円弧状の反射面、２２ＲＰ１…放物線状の反射面、２２ＲＰ２…放物線状の反射面、２３…開口、３１ＲＵ、３１ＬＵ、３１ＲＬ、３１ＬＬ…楕円系反射面、４０ＬＵ、４０ＲＵ、４０ＬＬ、４０ＲＬ…放物系反射面、Ｆ１、Ｆ２、Ｆ３、Ｆ３１、Ｆ３２、Ｆ４、Ｆ５…焦点、ＦＣ１…下側焦線、ＦＣ２    …上側焦線、ＦＬ…焦線、ＦＬ１…下側焦線、ＦＬ２      …上側焦線、Ｈ…水平線、ＨＰ…水平面、Ｉ…傾斜平面、Ｉ１…傾斜平面、Ｉ２…傾斜平面、Ｌ…直線、Ｌ１…直線、Ｐ１〜Ｐ５…所定配光パターン、Ｖ…鉛直線、ＶＰ…鉛直面
【図１】
0005070652.tif 000002
【図２】
0005070652.tif 000003
【図３】
0005070652.tif 000004
【図４】
0005070652.tif 000005
【図５】
0005070652.tif 000006
【図６】
0005070652.tif 000007
【図７】
0005070652.tif 000008
【図８】
0005070652.tif 000009
【図９】
0005070652.tif 000010
【図１０】
0005070652.tif 000011
【図１１】
0005070652.tif 000012